(57)【特許請求の範囲】
【請求項１】
画像添削サーバにおける画像添削方法であって、
画像の添削を受ける受講者のそばにある受講者端末からネットワークを介してアクセスがあると、ユーザＩＤ、ユーザ名、パスワードを含むユーザ情報を参照しユーザ認証を行って受講者のユーザＩＤを特定する手順と、
受講者端末からネットワークを介して添削を受ける画像を受信すると、受信した画像を画像ファイル記憶手段に格納するとともに、ユニークな作品ＩＤを取得し、当該作品ＩＤ、作品名、課題ＩＤ、受講者のユーザＩＤ、画像ファイル名を含む作品情報を作品情報記憶手段に格納する手順と、
画像を添削する添削者のそばにある添削者端末の検索からネットワークを介してアクセスがあると、前記ユーザ情報を参照しユーザ認証を行って添削者のユーザＩＤを特定する手順と、
課題ＩＤ、課題名、１つ以上の担当添削者ＩＤを含む課題情報から担当添削者ＩＤを取得し、前記担当添削者のユーザＩＤを含む課題を検索する画面を添削者端末に表示させる手順と、
前記画面に対するアクションイベントに応じて、添削者端末に作品一覧画面を表示させる手順と、
前記作品一覧画面に表示された作品のうち、選択された未添削作品の作品ＩＤに対応する作品情報を、ネットワークを介して添削者端末に送信する手順と、
前記送信した作品情報に係る画像の添削内容を、ネットワークを介して前記添削者端末から受信する手順と、
前記添削者端末から受信した添削内容に対し、ユニークな添削ＩＤ、添削対象である画像の作品ＩＤ、添削者ＩＤを含む添削情報を添削情報記憶手段に格納する手順と、
前記受講者端末から添削結果の要求があると、選択された作品ＩＤに対応する添削情報を定め、ネットワークを介して該受講者端末が先に送った添削を受ける画像と該画像の添削内容とを該受講者端末に送る手順とを有する
ことを特徴とするネットワークを用いた画像添削方法。
【請求項２】
ネットワークを介して受講者端末および添削者端末とつながった画像添削サーバであって、
前記両端末とネットワークを介して送受信を行う通信手段と、
前記受講者端末から添削を受ける画像を受信すると、受信した画像を格納する画像ファイル記憶手段と、
前記受信した画像に付けられたユニークな作品ＩＤ、作品名、課題ＩＤ、受講者のユーザＩＤ、画像ファイル名を含む作品情報を格納する作品情報記憶手段と、
前記添削者端末から受信した添削内容に付けられたユニークな添削ＩＤ、添削対象である画像の作品ＩＤ、添削者ＩＤを含む添削情報を格納する添削情報記憶手段と、
前記各記憶手段と前記通信手段とを制御するコンピュータおよび一時記憶からなる全体制御手段とを備え、
この全体制御手段が、画像の添削を受ける受講者のそばにある前記受講者端末からネットワークを介してアクセスがあると、ユーザＩＤ，ユーザ名、パスワードを含むユーザ情報を参照しユーザ認証を行って受講者のユーザＩＤを特定する機能と、
画像を添削する添削者のそばにある前記添削者端末の検索からネットワークを介してアクセスがあると、前記ユーザ情報を参照しユーザ認証を行って添削者のユーザＩＤを特定する機能と、
課題ＩＤ、課題名、１つ以上の担当添削者ＩＤを含む課題情報から担当添削者ＩＤを取得し、前記担当添削者のユーザＩＤを含む課題を検索する画面を添削者端末に表示させる機能と、
前記画面に対するアクションイベントに応じて、添削者端末に作品一覧画面を表示させる機能と、
前記作品一覧画面に表示された作品のうち、選択された未添削作品の作品ＩＤに対応する作品情報を、ネットワークを介して添削者端末に送信する機能と、
前記送信した作品情報に係る画像の添削内容を、ネットワークを介して前記添削者端末から受信する機能と、
前記受講者端末から添削結果の要求があると、選択された作品ＩＤに対応する添削情報を定め、ネットワークを介して該受講者端末が先に送った添削を受ける画像と該画像の添削内容とを該受講者端末に送る機能とを有する
ことを特徴とする画像添削サーバ。
【請求項３】
請求項１に記載の画像添削方法の手順を、コンピュータに実行させるためのプログラムとした
ことを特徴とするネットワークを用いた画像添削方法の実行プログラム。
【請求項４】
請求項１に記載の画像添削方法の手順を、コンピュータに実行させるためのプログラムとし、
前記実行プログラムを、前記コンピュータが読み取り可能な記録媒体に記録した
ことを特徴とするネットワークを用いた画像添削方法の実行プログラムを記録した記録媒体。
【発明の詳細な説明】
【０００１】
【発明の属する技術分野】
本発明は、ネットワーク上で展開された通信装置、及び当該通信装置により構成される通信システム、及び当該通信装置により実行される通信方法及び当該通信プログラム及び通信プログラムを格納した記憶媒体に係り、詳細には、ネットワークを利用して画像添削を行う場合に有効なネットワーク画像添削方法、及びネットワーク画像添削システム、及びこのシステムを構成する画像添削サーバ、添削者端末、受講者端末、及びネットワーク画像添削プログラム、及びこのプログラムを格納した記憶媒体に関する。
【０００２】
【従来の技術】
従来、画像の描画の質を高めるのに有効な方法として、上級者が低級者の描いた画像に対して、直接書き込んで添削を行う方法がある。この添削を行う上級者を添削者、添削を受ける低級者を受講者とする。従来より紙をべースにして行われてきた方法では、実物の上に描くのではなく、それをコピーした紙の上に描くこともある。また、添削者と受講者が離れた場所に存在している場合、その紙を郵便などの通信手段を用いて、やりとりすることで画像添削を行っていた。
【０００３】
近年、コンピュータの普及により、描いた画像をスキャナ、デジタルカメラ等でデジタル画像として保存し、それを用いてコンピュータ上で画像を添削する手段が知られている。また、ネットワークの普及により、郵便等にかわり、電子メール等を用いて、デジタル画像のやりとりを行い、その画像上に添削する手段も知られている。
【０００４】
しかし、コピー画像とはいえ、オリジナルの画像の上に直接描画ツール等を用いて指導する場合、指導後のコピー画像は元に戻らないという欠点があったが、それを解決するためにオリジナルの画像とは別に添削用画像を用意して、表示時にそれを重ね合わせてみせるという手段もある。
【０００５】
【発明が解決しようとする課題】
しかしながら、上記従来の添削の手段は、それを提供する専用のプログラムが格納されたコンピュータ端末でないと実行できず、結果的に添削者は同じ端末を使うことになる。このように、従来の専用プログラムによる画像添削システムには、添削者が同じ端末を使わなければならないという問題がある。
【０００６】
また、添削者と受講者がネットワークを介して直接画像のやりとりをした場合、添削者が管理するどの課題に対して受講者が画像を提出したのかがわからないなど管理業務が面倒になる。また、電子メールに工夫を施し、管理業務を容易にするシステムもあるが、これも使用が電子メールを受け取り閲覧する端末に限られる。
【０００７】
このように、従来の電子メールによる画像添削システムには、作品の管理業務が面倒であるという問題や、添削者が同じ端末を使わなければならないという問題がある。
【０００８】
本発明は、上記の問題点に鑑みなされたもので、ネットワーク上で画像添削を行う際に、受講者がどこでも作品を提出し、どこでも添削内容を閲覧し、また添削者がどこでも作品を閲覧し、どこでも作品を添削することができ、さらに作品とその添削結果の管理を容易にすることができる方法、及びシステムとこのシステムを構成する装置、及びこの方法の実行プログラムとその記録媒体を提供することを課題とする。
【０００９】
【課題を解決するための手段】
上記の課題を解決するための、本発明の一手段は、画像の添削を受ける受講者のそばにある受講者端末が、ネットワークを介して添削を受ける画像を画像添削サーバに送る手順と、前記画像添削サーバが、前記受講者端末から受信した画像を保管する手順と、画像を添削する添削者のそばにある添削者端末が、ネットワークを介して添削を受ける画像を前記画像添削サーバから受信する手順と、前記添削者端末が、前記画像添削サーバから受信した画像を表示する手順と、前記添削者端末が、ネットワークを介して前記表示した画像に対する添削内容を前記画像添削サーバに送る手順と、前記画像添削サーバが、前記添削者端末から受信した添削内容を保管する手順と、前記受講者端末が、ネットワークを介して先に送った添削を受ける画像と該画像の添削内容とを前記画像添削サーバから受信する手順と、前記受講者端末が、前記受信した画像と添削内容とを表示する手順とを有することを特徴とするネットワークを用いた画像添削方法である。
【００１０】
あるいは、画像添削サーバにおける画像添削方法であって、画像の添削を受ける受講者のそばにある受講者端末から、ネットワークを介して受信した添削を受ける画像を保管する手順と、画像を添削する添削者のそばにある添削者端末の検索により、ネットワークを介して添削を受ける画像を該添削者端末へ送信する手順と、前記添削者端末から、ネットワークを介して前記送信した画像に対する添削内容を受信する手順と、前記添削者端末から受信した添削内容を保管する手順と、前記受講者端末からの検索により、ネットワークを介して該受講者端末が先に送った添削を受ける画像と該画像の添削内容とを該受講者端末に送る手順とを有することを特徴とするネットワークを用いた画像添削方法である。
【００１１】
あるいは、添削者端末における画像添削方法であって、画像添削サーバが受講者端末から受信して保管する添削を受ける画像を、ネットワークを介して前記画像添削サーバから受信する手順と、前記画像添削サーバから受信した画像を表示する手順と、ネットワークを介して前記表示した画像に対する添削内容を前記画像添削サーバに送る手順とを有することを特徴とするネットワークを用いた画像添削方法である。
【００１２】
あるいは、受講者端末における画像添削方法であって、ネットワークを介して添削を受ける画像を画像添削サーバに送る手順と、前記画像サーバが保管する先に送った添削を受ける画像と添削者端末から受信し保管する該画像に対する添削内容とをネットワークを介して前記画像添削サーバから受信する手順と、前記受信した画像と添削内容とを表示する手順とを有することを特徴とするネットワークを用いた画像添削方法である。
【００１３】
あるいは、ネットワークでつながった受講者端末、添削者端末、及び画像添削サーバからなる画像添削システムであって、前記受講者端末は、画像の添削を受ける受講者のそばにあり、コンピュータに代表される電子機器であり、添削を受ける画像を前記画像添削サーバに送るとともに、前記画像サーバが保管する先に送った添削を受ける画像と添削者端末から受信し保管する該画像に対する添削内容とを前記画像添削サーバから受信し、前記受信した画像と該画像の添削内容を表示する機能手段を有し、前記添削者端末は、画像を添削する添削者のそばにあり、コンピュータに代表される電子機器であり、前記画像添削サーバから添削を受ける画像を受け取り、該画像を表示し、添削者の添削指示を受理し、添削内容を前記画像添削サーバに送る機能手段を有し、前記画像添削サーバは、コンピュータに代表される電子機器であり、前記受講者端末から受け取った画像を保管する機能手段と、前記添削者端末から受け取った添削内容を保管する機能手段とを有することを特徴とするネットワークを用いた画像添削システムである。
【００１４】
あるいは、前記の画像添削システムを構成する画像添削サーバであって、ネットワークを介して受講者端末及び添削者端末と通信する通信手段と、前記通信により、添削者が出題した課題情報を格納する記憶手段と、前記通信により、受講者が提出した画像ファイルを格納する記憶手段と、前記通信により、受講者が提出した作品情報を格納する記憶手段と、前記通信により、添削者が提出した添削ファイルを格納する記憶手段と、前記通信により、添削者が提出した添削情報を格納する記憶手段と、前記通信により、得られた受講者及び添削者のユーザ情報を格納し管理する記憶手段と、前記各記憶手段と前記通信手段とを制御するコンピュータ及び一時記憶からなる全体制御手段と、前記全体制御手段が前記制御を行って、ネットワークを用いて画像を添削するメインプログラムが格納された記憶手段と、前記メインプログラムが画面を作成するために用いるキャラクタファイルが格納された記憶手段とを有することを特徴とする画像添削サーバである。
【００１５】
あるいは、前記の画像添削システムを構成する添削者端末であって、ネットワークを用いて画像を添削するために画像添削サーバと通信を行う通信部と、各利用段階で必要となる入力を行うマウスやキーボードなどの入力部と、各利用段階で必要となる画面表示を行うＣＲＴやＬＣＤなどの表示部と、添削者が画像を添削する利用段階で必要となる記憶部と、前記入力部、前記表示部、及び前記記憶部を制御するコンピュータ及び一時記憶からなる制御部と、前記記憶部に格納されており、前記制御部で制御することが可能で、前記画像添削サーバからの画像を表示するブラウザと、前記ブラウザ上で動作し、前記記憶部に格納されており、前記制御部で制御することが可能で、受講者の画像を添削することを可能にする添削プラグインとを有することを特徴とする添削者端末である。
【００１６】
あるいは、前記の画像添削システムを構成する受講者端末であって、ネットワークを用いて画像の添削を受けるために画像添削サーバと通信を行う通信部と、各利用段階で必要となる入力を行うマウスやキーボードなどの入力部と、各利用段階で必要となる画面表示を行うＣＲＴやＬＣＤなどの表示部と、受講者が画像の添削を受ける利用段階で必要となる記憶部と、前記入力部、前記表示部、及び前記記憶部を制御するコンピュータ及び一時記憶からなる制御部と、前記記憶部に格納されており、前記制御部で制御することが可能で、前記画像添削サーバからの画面を表示するブラウザとを有することを特徴とする添削者端末である。
【００１７】
あるいは、前記のネットワークを用いた画像添削方法における手順を、コンピュータに実行させるためのプログラムとしたことを特徴とするネットワークを用いた画像添削方法の実行プログラムである。
【００１８】
あるいは、前記のネットワークを用いた画像添削方法における手順を、コンピュータに実行させるためのプログラムとし、前記実行プログラムを、前記コンピュータが読み取り可能な記録媒体に記録したことを特徴とするネットワークを用いた画像添削方法の実行プログラムを記録した記録媒体である。
【００１９】
本発明では、受講者がネットワークを用いて、受講者端末から画像添削サーバヘアクセスし、受講者がデジタル化した画像をネットワークを用いて受講者端末から画像添削サーバヘ送信し、画像添削サーバが受信した画像を格納することで受講者がどこでも作品を提出可能とする。また、添削者はネットワークを用いて、添削者端末から画像添削サーバヘアクセスし、添削者が、画像添削サーバが格納した画像を、ネットワークを用いて添削者端末で閲覧し、添削者が閲覧した画像を添削者端末で添削し、添削者が添削内容を、ネットワークを用いて添削者端末から画像添削サーバヘ送信し、画像添削サーバが受信した添削内容を格納することで、添削者がどこでも作品を添削可能とする。受講者は、ネットワークを用いて、受講者端末から画像添削サーバヘアクセスし、受講者が先に送信した画像と添削者が添削した添削内容とを、ネットワークを用いて受講者端末で閲覧することで、受講者がどこでも添削内容を閲覧可能とし、閲覧した添削内容を参考にして画像描画の質を高めることができるようにする。また、画像添削サーバが作品と添削結果を保管することによって、管理を容易にする。
【００２０】
【発明の実施の形態】
以下、本発明の実施の形態について図面を参照して説明する。
【００２１】
《１》全体構成
図１は本発明の一実施形態の構成を示すブロック図である。この図において、符号１はインターネット、イントラネットなど公知のネットワークであり、符号１０は画像添削サーバであり、前記ネットワーク１に接続されている。この際、ネットワーク１ヘの接続は、専用回線、ダイアルアップ接続など公知のあらゆる形態により実現できるが、画像データのやりとりを前提にしているため、高速系回線による接続が望ましい。符号１０１，１０２，…は受講者端末であり、画像添削サーバ１０と同様にして、ネットワーク１に接続されている。ここで、受講者端末１０１，１０２，…は、それぞれＣＲＴやＬＣＤ等の表示部とともにキーボード、マウス等の入力部、ならびに記憶部、通信部を有する。符号２０１，２０２，…は添削者端末であり、画像添削サーバ１０と同様にして、ネットワーク１に接続されている。ここで、添削者端末２０１，２０２，…は、それぞれＣＲＴやＬＣＤ等の表示部とともにキーボード、マウス等の入力部、ならびに記憶部を有する。受講者端末１０１，１０２，…はそれぞれネットワーク１を介して画像添削サーバ１０に接続されて通信を行い、いずれも受講者の端末として機能するが、説明の便宜上、画像添削サーバ１０には受講者端末１０１が接続されたとして以下説明を行う。同様に添削者端末２０１，２０２，…はそれぞれネットワーク１を介して画像添削サーバに接続されて通信を行い、いずれも添削者の端末として機能するが、説明便宜上、画像添削サーバ１０には添削者端末２０１が接続されたとして以下説明を行う。
【００２２】
《１−１》画像添削サーバの構成
画像添削サーバ１０の詳細構成について説明する。図２は、画像添削サーバ１０の構成を示すブロック図である。この図において、符号１１は全体制御手段であり、ＣＰＵ（コンピュータ）等から構成され、各部の制御や、データの制御、種々の演算、データの一時的な格納等を行う。符号１２は通信手段であり、ネットワーク１を介して接続された受講者端末１０１、及び添削者端末２０１とのデータの入出力を制御する。符号１３〜２０は記憶手段であり、それぞれ以下のプログラム、ファイル、及び情報が格納、記憶されている。
【００２３】
まず、記憶手段１３には、メインプログラムが記憶されている。かかるメインプログラムは、全体制御手段１１において用いられるものであり、たとえば受講者端末１０１の表示部にメニュー画面を表示させるプログラムや、必要な情報を得るための検索用プログラム、添削者端末２０１の表示部に受講者が提出した作品情報を表示させるプログラム等から構成される。他に、この記憶手段１３には、受講者端末１０１から送信されてきた作品のタイトル等の作品情報が一時的に格納される。なお、これらの動作については、いずれも後述する。
【００２４】
次に、記憶手段１４には、キャラクタファイルが記憶されている。かかるキャラクタファイルは、表示用文字データや、アイコンデータ等から構成されており、後述する動作の際に参照されるようになっている。
【００２５】
次に、記憶手段１５には、画像ファイルが記憶されている。かかる画像ファイルは、受講者端末１０１から送信された作品画像ファイルであり、記憶手段１５には受講者端茉１０１から送信された作品画像ファイルが全体制御手段１１によって格納、記憶される。画像ファイルのファイル名は全体制御手段１１によって自動的に一意に付与される。なお、これらの動作については、いずれも後述する。
【００２６】
次に、記憶手段１６には、添削ファイルが記憶されている。かかる添削ファイルは、添削者端末２０１から送信された添削ファイルであり、記憶手段１６には添削者端末２０１から送信された添削ファイルが全体制御手段１１によって格納、記憶される。添削ファイルのファイル名は全体制御手段１１によって自動的に一意に付与される。なお、これらの動作については、いずれも後述する。
【００２７】
次に、記憶手段１７には、ユーザ情報が記憶されている。かかるユーザ情報は、添削者、受講者のユーザＩＤや氏名を格納している。ユーザＩＤは後述する作品情報、添削情報でも使用する。
【００２８】
次に、記憶手段１８には、作品情報が記憶されている。かかる作品情報は、受講者端末１０１から送信された作品情報であり、記憶手段１８には受講者端末１０１から送信された作品情報が全体制御手段１１によって格納、記憶される。なお、これらの動作については、いずれも後述する。
【００２９】
次に、記憶手段１９には、添削情報が記憶されている。かかる添削ファイルは、添削者端末２０１から送信された添削情報であり、記憶手段１９には添削者端末２０１から送信された添削情報が全体制御手段１１によって格納、記憶される。なお、これらの動作については、いずれも後述する。
【００３０】
次に、記憶手段２０には、課題情報が記憶されている。かかる課題情報は、添削者端末２０１から送信された課題情報であり、記憶手段２０には添削者端末２０１から送信された課題情報が全体制御手段１１によって格納、記憶される。
【００３１】
なお、記憶手段１７，１８，１９，２０は主にデータベースとして構成する。
【００３２】
ユーザ情報には、ユーザＩＤ、ユーザ名、ユーザ属性（受講者か添削者か）がある。作品情報には、作品ＩＤ、作品名、作者ＩＤ、課題ＩＤ（対応課題）、提出日、作品データファイル格納先、作品に対するコメントがある。添削情報には、添削ＩＤ、添削者ＩＤ、作品ＩＤ（対応作品）、提出日、添削データファイル格納先、作品に対するコメントがある。課題情報には、課題ＩＤ、課題名、出題日、提出期限、出題者ＩＤ（一人）、担当添削者ＩＤ（複数）、課題に対するコメントがある。ユーザ情報、作品情報、添削情報、課題情報の関係を、図２０に示す。
【００３３】
《１−２》受講者端末の構成
受講者端末１０１の構成について説明する。図３に示すように、受講者端末１０１は、ネットワーク１に接続し画像添削サーバ１０と通信するための通信部１０１１、画像ファイル等を記憶している記憶部１０１２、画面を受講者に示すことのできる表示部１０１３、キーボード、マウス等の入力部１０１４、ＣＰＵ等から構成され、各部の制御やデータの制御等を行う制御部１０１５からなる。また図３に示すように、受講者端末１０１には、画像添削サーバ１０から受信した画面記述を表示部１０１３で表示するためのブラウザ１０１６を持つ。
【００３４】
《１−３》添削者端末の構成
添削者端末２０１の構成について説明する。図４に示すように、添削者端末２０１は、ネットワーク１に接続し画像添削サーバ１０と通信するための通信部２０１１、画像ファイル等を記憶している記憶部２０１２、画面を添削者に示すことのできる表示部２０１３、キーボード、マウス等の入力部２０１４、ＣＰＵ等から構成され、各部の制御やデータの制御等を行う制御部２０１５からなる。また図４に示すように、添削者端末２０１には、画像添削サーバ１０から受信した画面記述を表示部２０１３で表示するためのブラウザ２０１６、ブラウザ２０１６から起動し、作品画像の上に直接添削することを可能にする添削プラグイン２０１７を持つ。また、添削者端末の入力部２０１４は、添削したい箇所に直接描き入れることを目的としているので、キーボード、マウスの他に、タブレットなどのペン入力装置を持つものが望ましい。
【００３５】
《２》動作説明
画像添削サーバ１０に受講者端末１０１が接続されると、全体制御手段１１は、この接続を通信手段１２を介して検知し、メインプログラムにしたがって受講者端末１０１を制御する。図１１、図１２は、かかるメインプログラムの動作を示すフローチャートである。
【００３６】
《２−１》受講者端末に対するメインプログラムの動作説明
まず、図１１に示したステップＳａ１において、全体制御手段１１は、受講者端末１０１の表示部に対し、図５に示すようなログイン画面を表示させ、受講者端末を操作している受講者（ここでは端末操作受講者と呼ぶ）に対して、あらかじめ登録されたユーザＩＤ、パスワードを入力するように促す。ログイン画面においてアクションイベント（たとえば図５において、端末操作受講者がキーボードからのＥｎｔｅｒキーの入力やマウスでログインボタン５１をクリックするなどの操作で生じる）が生じると、これを検知した全体制御手段１１は、手順をステップＳａ２に進ませて、ユーザＩＤとパスワードが正しく入力されているか否かについて、記憶手段１７のユーザ情報を参照をして判定、する。ここで、全体制御手段１１は、「ＩＤまたはパスワードが不正」と判定すると、手順をステップＳａ４に進ませて、受講者端末１０１の表示部に対し、「ＩＤかパスワードが不正である」旨を表示させる制御をした後、ステップＳａ１１へ手順を進ませる。全体制御手段１１はステップＳａ４に進んだ回数、すなわち間違えた回数を格納しており、その間違えた回数が予め指定されたｎ回を越えると手順をステップＳａ１２へ進ませて、受講者端末１０１の表示部に対し、「ｎ回間違えたので切断する」旨を表示させる制御をした後、回線を切断し終了する。ステップＳａ１１で間違えた回数がｎ回を越えない間は、全体制御手段１１は手順をステップＳａ１へ進ませて、端末操作受講者に対して再びログイン処理を促す。
【００３７】
ステップＳａ２で全体制御手段１１が「ＩＤまたはパスワードが正しい」と判定すると、全体制御手段１１は手順をステップＳａ３に進ませて、受講者端末１０１の表示部に対し、図６に示すような課題検索画面を表示させる。たとえば図６では端末操作受講者が課題の検索を行いやすいように、全体制御手段１１は課題検索画面を表示させるデータとともに予め検索に必要なキーを受講者端末１０１へ送信し、受講者端末１０１の表示部では、端末操作受講者に対し、プルダウンメニュー６１，６２，６３を選択する方法で課題を検索するよう促す。
【００３８】
課題検索画面において、アクションイベント（たとえば図６において、端末操作受講者が検索ボタン６４をクリックすると生じる）が生じると、これを検知した全体制御手段１１は、手順をステップＳａ５に進ませ、受講者端末１０１の表示部に対し、図７に示すような作品一覧画面を表示させ、端末操作受講者に対して、選択課題において、すでに提出した作品の詳細を表示するか、または選択課題において、新規に作品を登録するかを選択するよう促す。
【００３９】
図７において、各作品の詳細表示ボタン７１をクリックすると、全体制御手段１１はこれを検知し、手順をステップＳａ６へ進ませ、この作品がすでに添削済みであるか否かを判定する。添削途中であればこの場合、未添削として判定される。
【００４０】
既に添削済みの場合、全体制御手段１１は手順をステップＳａ７に進ませ、受講者端末１０１の表示部に対し、図８に示すような作品詳細画面を表示させる。全体制御手段１１は選択された作品ＩＤを格納（選択作品ＩＤ）し、記憶手段１８から選択作品ＩＤに対応する作品情報を、記憶手段１９から選択作品ＩＤに対応する添削情報を受け取り、表示画面を記述して受講者端末１０１へ送信する。受講者端末１０１は受信した画面記述に従い（たとえばＨＴＭＬ）、図８のような画面を表示部へ表示させる。このとき、必要な画像ファイル及び添削ファイルはその格納先が前記画面記述に記述されており、受講者端末１０１は表示部での表示段階でファイルをダウンロードして表示する。また、このとき添削ファイルは添削内容だけの記述で先ほどの画像ファイルと表示段階で重ね合わせて表示する。端末操作受講者はこのように添削済みの作品については、並べて表示することで添削結果を容易に参照できる。
【００４１】
全体制御手段１１は、ステップＳａ６で未添削と判断した作品については、手順をステップＳａ８に進ませ、受講者端末１０１の表示部に対し、図９に示すような作品詳細画面を表示させる。全体制御手段１１は選択された作品ＩＤを格納（選択作品ＩＤ）し、記憶手段１８から選択作品ＩＤに対応する作品情報を受け取り、表示画面を記述して受講者端末１０１へ送信する。受講者端末１０１は受信した画面記述に徒い（たとえばＨＴＭＬ）、図９のような画面を表示部へ表示させる。このとき、必要な画像ファイル及び添削ファイルはその格納先が前記画面記述に記述されており、受講者端末１０１は表示部での表示段階でファイルをダウンロードして表示する。
【００４２】
ステップＳａ７やステップＳａ８において、閲覧を終えたとき、図８、図９記載の「戻る」ボタンをクリックすると、ステップＳａ５の作品一覧に戻ることができる。
【００４３】
ステップＳａ５で、たとえば図７の新規登録ボタン７２をクリックしたときは、全体制御手段１１はこれを検知し、手順をステップＳａ９へ進ませ、受講者端末１０１の表示部に対し、図１０に示すような新規作品登録画面を表示させて、端末操作受講者に対し、登録する作品のタイトルや、作品に対するコメントの入力を促す。また、作品画像ファイルの入力も促す。作品画像は予めスキャナやデジタルカメラなどでデジタル化した画像、または受講者端末１０１その他の端末を用いて、電子的に描いた画像なとどのような手段を用いて作成した画像でもよく、受講者端末１０１よりその格納場所を指定できればよい。
【００４４】
端末操作受講者が必要事項を全て入力し、図１０の送信ボタン１１１をクリックすると、作品のタイトルやコメントなどの作品情報と選択画像ファイルのデータが受講者端末１０１から画像添削サーバ１０へ送信される。全体制御手段１１は通信手段１２を介して受け取った選択画像ファイルデータを記憶手段１５へ格納し、同じく通信手段１２を介して受け取った作品情報へ前記選択画像ファイルデータの格納先を追加する。さらに、全体制御手段１１はユニークを保証された作品ＩＤと現在時刻を取得し前記作品情報へ追加し、前記作品情報を記憶手段１８へ格納する。記憶手段１８へ格納された作品情報は作品ＩＤを元にして、全体制御手段１１が用いるメインプログラム内の検索手段を用いて取り出すことができる。
【００４５】
全体制御手段１１は作品情報の記憶手段１８への格納を終えると、手順をステップＳａ１０へ進ませ、受講者端末１０１の表示部に対し、「作品の登録が完了した」旨を表示させる。
【００４６】
作品の登録が完了すると、一定時間経過の後、ステップＳａ５の作品一覧へ自動的に戻る。
【００４７】
前記受講者端末接続時のログイン処理（ステップＳａ１）から始まる閲覧処理（課題検索（ステップＳａ３）から作品詳細表示（ステップＳａ７またステップＳａ８）まで）はすべて、画像添削サーバ１０の全体制御手段１１が行うので、受講者端末は全体制御手段１１が作成した画面記述を読み込み、表示部へ表示できる手段をもつものであれば端末は問わない。多くの場合、受講者端末と画像添削サーバとの間はＨＴＴＰプロトコルを用いて実施できる。実施形態の例としてプロトコルにＨＴＴＰ、画面記述にＨＴＭＬを使用した場合、受講者端末はそれを表示することのできるＷｅｂブラウザを持つ必要がある。
【００４８】
前記受講者端末接続時の新規作品登録処理（ステップＳａ９）は図１０のような画面を作成して、表示するまでは画像添削サーバ１０の全体制御手段１１が行うが、送信ボタン１１１をクリックしたときに、選択画像ファイルのデータを画像添削サーバ１０へ送信する手段は受講者端末が持つ必要がある。公知の多くのＷｅｂブラウザがこの手段を持っており、実施形態の例としてＷｅｂブラウザを使用すればよい。
【００４９】
したがって、実施形態の例としてプロトコルにＨＴＴＰ、画面記述にＨＴＭＬを使用した場合、受講者端末１０１はＷｅｂブラウザを持つ端末であればよい。
【００５０】
作品の新規登録処理（ステップＳａ９）では受講者が登録したい画像を選択する必要があるが、選択する画像が受講者端末１０１から参照できる必要がある。
【００５１】
よって受講者が新規登録したい場合は、登録したい画像を参照できる受講者端末を用い、受講者が課題や作品詳細を閲覧したい場合は受講者端末であればどれを用いてもよい。
【００５２】
《２−２》添削者端末に対するメインプログラムの動作説明
まず、図１２に示したステップＳｂ１において、全体制御手段１１は、添削者端末２０１の表示部に対し、図１３に示すようなログイン画面を表示させ、添削者端末を操作している添削者（ここでは端末操作添削者と呼ぶ）に対して、あらかじめ登録されたユーザＩＤ、パスワードを入力するように促す。ログイン画面において、アクションイベント（たとえば図１３において、端末操作添削者がキーボードからのＥｎｔｅｒキーの入力や、マウスでログインボタン１３１をクリックするなどの操作で生じる）が生じると、これを検知した全体制御手段１１は、手順をステップＳｂ２に進ませて、ユーザＩＤとパスワードが正しく入力されているか否かについて、記憶手段１７のユーザ情報窪過を参照をして判定する。ここで、全体制御手段１１は、「ＩＤまたはパスワードが不正」と判定すると、手順をステップＳｂ４に進ませて、添削者端末２０１の表示部に対し、「ＩＤかパスワードが不正である」旨を表示させる制御をした後、ステップＳｂ１１へ手順を進ませる。全体制御手段１１は、ステップＳｂ４に進んだ回数、すなわち間違えた回数を格納しており、その間違えた回数が予め指定されたｎ回を越えると手順をステップＳｂ１２へ進ませて、添削者端末２０１の表示部に対し、「ｎ回間違えたので切断する」旨を表示させる制御をした後、回線を切断し終了する。ステップＳｂ１１で間違えた回数がｎ回を越えない間は、全体制御手段１１は手順をステップＳｂ１へ進ませて、端末操作添削者に対して再びログイン処理を促す。
【００５３】
ステップＳｂ２で全体制御手段１１が「ＩＤまたはパスワードが正しい」と判定すると、全体制御手段１１は手順をステップＳｂ３に進ませて、添削者端末２０１の表示部に対し、図１４に示すような課題検索画面を表示させる。たとえば図１４では端末操作添削者が課題の検索を行いやすいように、全体制御手段１１は課題検索画面を表示させるデータとともに、予め検索に必要なキーを添削者端末２０１へ送信し、添削者端末２０１の表示部では、端末操作添削者に対し、プルダウンメニュー１４１，１４２，１４３，１４４を選択する方法で課題を検索するよう促す。
【００５４】
端末操作添削者が課題を検索するとき、全体制御手段１１は、課題情報から担当添削者ＩＤを取得し、端末操作添削者のユーザＩＤが含まれている課題を添削者端末２０１の表示部に対し、図１４に示すような課題検索画面を表示させる。したがって、受講者が提出した作品は対応課題の担当添削者のみ閲覧、添削できる。
【００５５】
課題検索画面において、アクションイベント（たとえば図１４において、端末操作添削者が検索ボタン１４５をクリックすると生じる）が生じると、これを検知した全体制御手段１１は、手順をステップＳｂ５に進ませ、添削者端末２０１の表示部に対し、図１５に示すような作品一覧画面を表示させ、端末操作添削者に対して、選択課題において、受講者が提出した作品の詳細を表示するよう促す。
【００５６】
図１５において、各作品の詳細表示ボタン１５１をクリックすると、全体制御手段１１はこれを検知し、手順をステップＳｂ６へ進ませ、この作品がすでに添削済みであるか否かを判定する。添削途中であればこの場合、添削済みとして判定される。
【００５７】
既に添削済みの場合、全体制御手段１１は手順をステップＳｂ７に進ませ、添削者端末２０１の表示部に対し、図１６に示すような作品詳細画面を表示させる。全体制御手段１１は選択された作品ＩＤを格納（選択作品ＩＤ）し、記憶手段１８から選択作品ＩＤに対応する作品情報を、記憶手段１９から選択作品ＩＤに対応する添削情報を受け取り、表示画面を記述して添削者端末２０１へ送信する。添削者端末２０１は受信した画面記述に従い（たとえばＨＴＭＬ）、図１６のような画面を表示部へ表示させる。このとき、必要な画像ファイル及び添削ファイルはその格納先が前記画面記述に記述されており、添削者端末２０１は表示部での表示段階でファイルをダウンロードして表示する。また、このとき添削ファイルは添削内容だけの記述で、添削対象となった画像は含まれていない。先ほどの画像ファイルと表示段階で重ね合わせて表示する。
【００５８】
全体制御手段１１は、ステップＳｂ６で未添削と判断した作品については、全体制御手段１１は手順をステップＳｂ８に進ませ、添削者端末２０１の表示部に対し、図１７に示すような作品詳細画面を表示させる。全体制御手段１１は選択された作品ＩＤを格納（選択作品ＩＤ）し、記憶手段１９から選択作品ＩＤ、に対応する作品情報を受け取り、表示画面を記述して添削者端末２０１へ送信する。添削者端末２０１は受信した画面記述に従い（たとえばＨＴＭＬ）、図１７のような画面を表示部へ表示させる。このとき、必要な画像ファイル及び添削ファイルはその格納先が前記画面記述に記述されており、添削者端末２０１は表示部での表示段階でファイルをダウンロードして表示する。
【００５９】
端末操作添削者が未添削の作品を添削、あるいは既に添削済みの作品を再添削する場合は、図１６あるいは図１７の添削ボタン１６２をクリックすると、図１８に示すような添削プラグインが添削者端末２０１で起動する。端末操作添削者は添削を終えて図１８の送信ボタン１８１をクリックすると、添削内容を記憶した添削データを、添削者端末２０１内の添削プラグインが画像添削サーバ１０へ送信する。この添削データは、添削者の添削内容だけであり、添削対象となった画像は含まれていない。
【００６０】
全体制御手段１１は通信手段１２を介して受け取った添削ファイルデータを記憶手段１６へ格納し、格納先を添削者端末２０１内の添削プラグインヘ返答する。添削者端末２０１内の添削プラグインは画像添削サーバ１０から返答された格納先をブラウザの一時記憶である添削情報へ追加する。添削プラグインの添削処理は後述する。添削プラグインが終了すると図１６または図１７の添削内容表示部１６３に添削結果が反映、表示される。
【００６１】
端末操作添削者が添削処理やコメント入力、合否判定入力など必要事項を入力し、図１６または図１７の送信ボタン１６１をクリックすると、作品ＩＤや作品に対するコメントや合否判定、添削ファイル格納先などの添削情報が添削者端末２０１から画像添削サーバ１０へ送信される。全体制御手段１１は通信手段１２を介して受け取った添削情報に、ユニークを保証された添削ＩＤと現在時刻を追加し、前記添削情報を記憶手段１９へ格納する。記憶手段１９へ格納された添削情報は作品ＩＤや添削ＩＤを元にして、全体制御手段１１が用いるメインプログラム内の検索手段を用いて取り出すことができる。
【００６２】
《３》添削者端末における添削プラグインの動作説明
添削者が受講者の作品を閲覧し、添削する段階において、添削者が添削プラグインを用いて添削を行う際の、添削プラグインを中心とする動作を説明する。
【００６３】
図１８に示すように、まず、添削者が受講者の作品を閲覧し、添削する段階において、添削者は添削者端末２０１上の表示部に表示されている図１６に示すような作品詳細表示画面（ブラウザ内）にある添削ボタン１６１をクリックする（ステップＳｃ１）。するとブラウザは図１８に示すような添削プラグインを起動し（ステップＳｃ２）、続いて添削プラグインに必要なパラメータを渡す（ステップＳｃ３）。パラメータを受け取った添削プラグインはパラーメータの内容にしたがって、作品画像データと添削データとを合成し、画面に表示する。未添削の場合は、作品画像データのみを表示する。添削者は添削プラグイン上で任意に添削を行う（ステップＳｃ４）。このとき、添削を行う入力装置はタブレットなどのペン入力装置が望ましい。添削者が添削を終えて、添削プラグイン内の送信ボタン１８１をクリックする（ステップＳｃ５）と、添削プラグインは添削者端末２０１内の制御部の一時記憶に一時的に添削ファイルデータを記憶する（ステップＳｃ６）。添削プラグインは添削者端末２０１内の制御部の一時記憶に一時的に記憶した添削データを画像添削サーバ１０の通信手段１２を介して全体制御手段１１へ送信する（ステップＳｃ７）。受信した全体制御手段１１は画像添削サーバ１０の記憶手段１６へ受け取った添削データから添削ファイルを作成し格納する（ステップＳｃ８）。このとき、全体制御手段１１は作成した添削ファイルにユニークな名前をつける。全体制御手段１１は添削プラグインヘ、格納した添削ファイルの参照先を通知する（ステップＳｃ９）。添削ファイルの参照先を受信した添削プラグインはブラウザがもつ添削情報にファイル参照先を追加する（ステップＳｃ１０）。ステップＳｃ１０までを行った添削プラグインは自ら終了する（ステップＳｃ１１）。
【００６４】
なお、添削プラグインは、たとえばＪａｖａやＡｃｔｉｖｅＸといったコンポーネントで実装され、画像添削サーバ１０から自動的にダウンロードすることができるので、添削者端末として使用したい端末に添削プラグインが入っていない場合もダウンロードして添削することができる。また、添削プラグイン以外の添削作業（合否判定やコメント入力など）や課題検索や作品詳細表示などの各機能は添削プラグインの有無に関わらず行うことができる。
【００６５】
《４》全体の動作シーケンスの説明
図２１に、本実施形態の全体のシーケンスを示す。まず、受講者はネットワークを用いて、受講者端末から画像添削サーバヘアクセスし、受講者がデジタル化した画像をネットワークを用いて受講者端末から画像添削サーバヘ送信し、画像添削サーバが受信した画像を格納する。これにより、受講者はどこでも作品を提出することができる。次に、添削者はネットワークを用いて、添削者端末から画像添削サーバヘアクセスし、添削者が、画像添削サーバが格納した画像を、ネットワークを用いて添削者端末で閲覧し、添削者が閲覧した画像を添削者端末で添削し、添削者が添削内容を、ネットワークを用いて添削者端末から画像添削サーバヘ送信し、画像添削サーバが受信した添削内容を格納する。これにより、添削者はどこでも作品を添削することができる。次に、受講者は、ネットワークを用いて、受講者端末から画像添削サーバヘアクセスし、受講者が先に送信した画像と添削者が添削した添削内容とを、ネットワークを用いて受講者端末で閲覧する。これにより、受講者はどこでも添削内容を閲覧することができ、閲覧した添削内容を参考にして画像描画の質を高めることができる。また、作品と添削結果は画像添削サーバに保管されるので管理が容易になる。
【００６６】
《５》画像添削プログラムの説明
図１〜図４で示した画像添削サーバや添削者端末、及び受講者端末における各部の一部もしくは全部の機能をコンピュータのプログラムで構成し、そのプログラムをコンピュータを用いて実行して本発明を実現することができること、あるいは、図１１、図１２、図１９、図２１で示した処理の手順をコンピュータのプログラムで構成し、そのプログラムをコンピュータに実行させることができることは言うまでもなく、コンピュータでその機能を実現するためのプログラム、あるいは、コンピュータにその処理の手順を実行させるためのプログラムを、そのコンピュータが読み取り可能な記録媒体、例えば、ＦＤ（フロッピーディスク（登録商標））や、ＭＯ、ＲＯＭ、メモリカード、ＣＤ、ＤＶＤ、リムーバブルディスクなどに記録して、保存したり、配布したりすることが可能である。また、上記のプログラムをインターネットや電子メールなど、ネットワークを通して提供することも可能である。なお、上記プログラムは、画像添削サーバや添削者端末、及び受講者端末の別に作成されることは当然であるが、記録や配布、提供に際しては、一括、ないしは組み合わせてなされる場合もある。
【００６７】
【発明の効果】
以上の説明で明らかなように、本発明によれば、ネットワーク上で画像添削を行う際に、受講者がどこでも作品を提出し、どこでも添削内容を閲覧し、また添削者がどこでも作品を閲覧し、どこでも作品を添削することができ、さらに作品とその添削結果の管理を容易にすることができる。
【図面の簡単な説明】
【図１】本発明における実施形態の構成を示すブロック図である。
【図２】同実施形態における画像添削サーバの構成を示すブロック図である。
【図３】同実施形態における受講者端末の構成を示すブロック図である。
【図４】同実施形態における添削者端末の構成を示すブロック図である。
【図５】同実施形態における受講者端末に表示されるログイン画面の構成を説明するための図である。
【図６】同実施形態における受講者端末に表示される課題検索画面の構成を説明するための図である。
【図７】同実施形態における受講者端末に表示される作品一覧画面の構成を説明するための図である。
【図８】同実施形態における受講者端末に表示される作品詳細画面の構成を説明するための図である。
【図９】同実施形態における受講者端末に表示される作品詳細画面の構成を説明するための図である。
【図１０】同実施形態における受講者端末に表示される作品登録画面の構成を説明するための図である。
【図１１】同実施形態における受講者端末が画像添削サーバに接続したときの動作を示すフローチャート図である。
【図１２】同実施形態における添削者端末が画像添削サーバに接続したときの動作を示すフローチャート図である。
【図１３】同実施形態における添削者端末に表示されるログイン画面の構成を説明するための図である。
【図１４】同実施形態における添削者端末に表示される課題検索画面の構成を説明するための図である。
【図１５】同実施形態における添削者端末に表示される作品一覧画面の構成を説明するための図である。
【図１６】同実施形態における添削者端末に表示される作品詳細画面の構成を説明するための図である。
【図１７】同実施形態における添削者端末に表示される作品詳細画面の別の構成を説明するための図である。
【図１８】同実施形態における添削者端末に表示される添削プラグインの構成を説明するための図である。
【図１９】同実施形態における添削者端末で添削プラグインが起動され、終了するまでのフローチャート図である。
【図２０】同実施形態におけるユーザ情報、作品情報、添削情報、及び課題情報の関係を説明するための図である。
【図２１】同実施形態における全体の方法のシーケンスを説明するための図である。
【符号の説明】
１…ネットワーク
１０…画像添削サーバ
１１…全体制御手段
１２…通信手段
１３〜２０…記憶手段
１０１〜１０３…受講者端末
１０１１…通信部
１０１２…記憶部
１０１３…表示部
１０１４…入力部
１０１５…制御部
１０１６…ブラウザ
２０１〜２０３…添削者端末
２０１１…通信部
２０１２…記憶部
２０１３…表示部
２０１４…入力部
２０１５…制御部
２０１６…ブラウザ
２０１７…添削プラグイン
【図１】
0003995432.tif 000002
【図２】
0003995432.tif 000003
【図３】
0003995432.tif 000004
【図４】
0003995432.tif 000005
【図５】
0003995432.tif 000006
【図６】
0003995432.tif 000007
【図７】
0003995432.tif 000008
【図８】
0003995432.tif 000009
【図９】
0003995432.tif 000010
【図１０】
0003995432.tif 000011
【図１１】
0003995432.tif 000012
【図１２】
0003995432.tif 000013
【図１３】
0003995432.tif 000014
【図１４】
0003995432.tif 000015
【図１５】
0003995432.tif 000016
【図１６】
0003995432.tif 000017
【図１７】
0003995432.tif 000018
【図１８】
0003995432.tif 000019
【図１９】
0003995432.tif 000020
【図２０】
0003995432.tif 000021
【図２１】
0003995432.tif 000022